(57)【要約】      （修正有）【課題】物干しハンガーに吊るされたすべての洗濯バサミを一斉に開放させ、破損した洗濯バサミを単独で交換可能にする洗濯バサミハンガーの提供。【解決手段】各洗濯バサミのクリップ両片にそれぞれ２個の孔を開け、該両辺ともそのひとつの孔に紐の先端を結合し、その紐をそれぞれ対向するクリップ片の他の孔を通し、これと同様に紐を結合した隣の洗濯バサミの紐とを順次連結金具１２を介して連結し、連続した一列の洗濯バサミを構成し、その洗濯バサミ列の両端部の紐をハンガーの両端フレームに固着して、両端フレームを引っ張ることにより、各洗濯バサミが同時に開放することにするとともに、各個洗濯ばさみを連結金具を介して取り付け、これによって簡単に交換可能にした。【選択図】図６
0003112819.tif 000002
【実用新案登録請求の範囲】
【請求項１】
ハンガーフレームと平行に洗濯バサミを複数列配した物干し用ハンガーにおいて、各洗濯バサミのクリップ部両片に穴を開け、そこにクリップの外側から互いに紐を通してそれぞれ反対側のクリップ片に固定し、その紐と隣の洗濯バサミの紐とを互いに順次連結し、一列の洗濯バサミの紐が全部連結するようにして、その連結した紐の両端を引っ張ることにより、各洗濯バサミが同時に開放することを特徴とする洗濯バサミハンガー。
【請求項２】
洗濯バサミが破損したときに、その洗濯バサミのみを交換できるように、隣の洗濯バサミの紐との間に分離自在な金具等を介することにより、各洗濯バサミをそれぞれ分離することができる請求項１の洗濯バサミハンガー。
【請求項３】
洗濯バサミ列と平行なパイプ状ハンガーフレームの左右両端に、その枠体より細いパイプ状左右フレームを可動自在に差し込み、その左右フレームに連結した洗濯バサミの紐先端を固着した請求項１又は２の洗濯バサミハンガー。
【考案の詳細な説明】
【技術分野】
【０００１】
本考案は、物干し用ハンガーであって、該物干し用ハンガーの洗濯バサミを同時に一斉に開放し得る機構を有する物干し用ハンガーに関する。
【背景技術】
【０００２】
従来洗濯物を干す洗濯バサミハンガーから洗濯物を外すには個々の洗濯バサミを１個ずつ開放しなければならなかったが、最近、複数個の洗濯バサミを一斉に開放する物干しハンガーが提案されている（特許文献１ないし３）。
しかしながら、これらの提案された発明は、その開放できる洗濯バサミには数に限りがあったり、解放する操作が複雑であったり、さらには、破損が生じた場合、破損した個々の部分（洗濯バサミ）は使用することができず、使用できない部分を含んだまま使用せざるを得ない、といった問題、不都合を有しているものであった。
【０００３】
【特許文献１】特開２００１−３４７０９８号公報（「洗濯バサミの一斉開放装置」
【特許文献２】特開２００４−２３０１２３号公報（「物干しハンガー及び紐状物干し」）
【特許文献３】特開２００４−３２１７２３号公報（「物干しハンガー」）
【考案の開示】
【考案が解決しようとする課題】
【０００４】
本考案は、ハンガーに吊るされたすべての洗濯バサミを、極めて簡単な取り付け構造、力伝達構造とすることによって簡単に一斉に開放させ得るように設計し、また、一部の洗濯バサミに破損した部分が生じても、その部分だけを簡単に交換可能とする物干しハンガーを提供しようというものである。
【課題を解決するための手段】
【０００５】
本考案者らにおいては、鋭意研究した結果、上記課題を次の手段により解決した。
（１）ハンガーフレームと平行に洗濯バサミを複数列配した物干し用ハンガーにおいて、各洗濯バサミのクリップ両片にそれぞれ２個の孔を開け、該両辺ともそのひとつの孔に紐の先端を結合し、その紐をそれぞれ対向するクリップ片の他の孔を通し、これと同様に紐を結合した隣の洗濯バサミの紐とを順次連結して、連続した一列の洗濯バサミを構成し、その洗濯バサミ列の両端部の紐をハンガーの両端フレームに固着して、両端フレームを引っ張ることにより、各洗濯バサミが同時に開放されるようにした。
（２）隣の洗濯バサミの紐との連結は、分離自在な連結金具を介して連結し、洗濯バサミが破損したときに、該連結金具で切り離しあるいは再接続して該洗濯バサミのみを交換できるようにした。
（３）洗濯バサミ列と平行なパイプ状ハンガーフレームの左右両端に、その枠体より細いパイプ状両端フレームを可動自在に差し込んで、その両端フレームに複数列の洗濯バサミの紐先端を取り付けたものである。
【考案の効果】
【０００６】
本考案は、上記構成を講ずることによって、下記の効果が期待できる。
物干しハンガーに取り付けられている洗濯バサミを簡単な伝達機構によって、開閉可能としたことによって、物干しハンガー自体の構造が簡単となったことに加え、また操作性も簡単となった。すなわち、両端フレーム１０ａ、１０ｂを離間せしめるようにエクスパンドするだけで、多数の洗濯バサミを一斉に開放して洗濯物を同時に外すことができるようになった。また、物干しハンガーの洗濯バサミに一部破損が生じ、使用できなくなった
場合でも、連結金具、リングによって簡単に取替え可能となったことによって、長期わたり正常に使用可能となったことにより、利便性が向上した。  
【考案を実施するための最良の形態】
【０００７】
以下、本考案を図面に基づいて説明する。ただし、これらの例は本考案を説明するための具体例を示す図面であって、本考案は、これによって限定されない。すなわち、本考案の前記した目的の範囲内で、図面で示した機素に代え、これを通常使用され得る代替機素によって変更する等の設計変更も本考案に含まれるものである。
【０００８】
図面において、図１は、本考案の物干しハンガーの斜視図である。この図では、洗濯バサミは、一列７個組み、４列によって構成された例を示している。図２は、図１で示した物干しハンガーを正面から見た状態を示し、７個の洗濯バサミが、紐８、連結金具１２、吊り下げリング１４を介してフレーム１ｂ及び両端フレーム１０ａ、１０ｂに取り付けられている。図３は、該ハンガーに使用されている洗濯バサミの斜視図を示しており、図４は、洗濯バサミのクリップ部拡大断面図である。図５は紐８と連結金具と吊り下げリングを組とする一組の洗濯バサミ構成を示す正面図であり、連結金具１２を介して隣の洗濯バサミと簡単に交換可能に構成、形成されている。洗濯バサミは吊り下げリング１４を介して、図示外のフレーム（１ａ、１ｂ、２ａ、２ｂ）に吊り下げられている。図６は、図５で示した組数を２個連結した構造を示す図であり、閉じた状態（作動した状態）（１）と解放された状態（２）とを示している。図７は、フレーム１ｂと両端フレーム１０ａ、１０ｂとの関係を示す横断面図を示し、（１）は閉じた状態、（２）は解放された状態を示している。
【０００９】
以下、本考案を図面に基づいて詳しく説明する。図１は、本考案の斜視図であり、洗濯バサミハンガー１のフレーム１ａ、１ｂとその中間フレーム２ａ、２ｂに吊り下げた洗濯バサミ列３ａ、３ｂ、３ｃ、３ｄを構成する洗濯バサミ４のクリップ片５ａ、５ｂに孔６ａ、６ｂ、７ａ、７ｂを設け、紐８ｂの一方の先端を外側から６ｂを通して５ａ内側に固着９ａし、他端を６ａ、７ａを通して５ｂの外側に導出し、また、これと同様に別の紐８ａの一方の先端を外側から７ｂを通して５ｂ内側に固着し、他端を７ａ、６ａを通して５ａの外側に導出して、導出したそれぞれの紐を同様に構成した隣の洗濯バサミの紐と結合する。    
【００１０】
各洗濯バサミの紐を相互に結合して、構成した一列の洗濯バサミ列３ｄの両端部の紐１１ａ、１１ｂを両端フレーム１０ａ、１０ｂにそれぞれ結びつける。これと同様に洗濯バサミ列３ａ、３ｂ、３ｃの複数の列を両端フレーム１０ａ、１０ｂに結びつける。
【００１１】
洗濯バサミ間の紐の結合部分が簡便に分離できるように連結金具１２を介在し、洗濯バサミが破損したときにその洗濯バサミのみを取り替えることができる。
連結金具１２は金具同士が容易に分離できるものであれば、形状は問わない。
破損した洗濯バサミを取り替えるときは、連結金具１２に結合している紐を外すか又は切断して紐を引き抜けば容易交換することができる。
【００１２】
ハンガーフレーム１ａ、１ｂ、２ａ、２ｂは金属製又は合成樹脂製のパイプ状であるが、その端面が矩形状、円形状等を問わない。ハンガーフレーム１ａ、１ｂの両端部は開口し、その開口部から両端フレーム１０ａ、１０ｂが１ａ、１ｂの内径に沿って左右に可動可能に挿入している。
【００１３】
両端フレーム１０ａ、１０ｂを両手で左右に広げると、１０ａ、１０ｂに結合した洗
濯バサミ列の紐が引っ張られて、相互に紐で繋がっている各洗濯バサミのクリップ片５ａ、５ｂが、図６（２）に示すように一斉に内側に可動することにより、すべての洗濯バサ
ミが開放して、洗濯物を同時に洗濯バサミから外すことができる。
【００１４】
洗濯物を全部外した後、 両端フレーム１０ａ、１０ｂから両手を離せば、各洗濯バサ
ミのばね１３の力で元の状態に戻る。  
【００１５】
各洗濯バサミの５ａ、５ｂの中間に設けた吊り下げリング１５をハンガーフレーム１ａ、１ｂ、２ａ、２ｂに通すことにより、洗濯バサミが洗濯物の重さで垂下しないように支持する。
【００１６】
以上、本考案を図面に基づいて詳細に説明したが、本考案は、図面で示した態様以外にも、同様の目的を達成し、同様の作用効果が奏せられる限りは他の機素によって代替することはできることは自明の理であり、これらの設計変更による態様は、当然に本考案に含み得るものであることは言うまでもない。
【００１７】
本考案は、上記説明したようにその構成は、極めて容易に取得できる簡単な部品から構成され、また、その構造も極めて簡単であることからにより製作工数が低く、コストが安く済み、また、使用者側に対して操作性の点で利便性があり、修理可能等のアフターサービスにおいても利便性を補償しうるものであるので、生活関連技術分野の発展につながり、おおいに利用されるものと期待される。
【図面の簡単な説明】
【００１８】
【図１】本考案の一実施例の斜視図。
【図２】本考案の一実施例の正面図
【図３】洗濯バサミの斜視図
【図４】洗濯バサミのクリップ部拡大断面図
【図５】一組の洗濯バサミの正面図
【図６】連結した洗濯バサミ  （１）閉じた状態の図  （２）開放した状態の図
【図７】フレームの１ｂの横断面図  （１）両端フレームを閉じた状態図  （２）両端フレームを引っ張った状態図
【符号の説明】
【００１９】
１：洗濯バサミハンガー            １ａ、１ｂ：ハンガーフレーム
２ａ、２ｂ：ハンガーフレーム      ３：洗濯バサミ列
４：洗濯バサミ                    ５ａ、５ｂ：クリップ部
６ａ、６ｂ：紐通し孔              ７ａ、７ｂ：紐通し孔
８：紐                            ９ａ、９ｂ：固着部
１０ａ、１０ｂ：両端フレーム      １１ａ、１１ｂ：洗濯バサミ列両端紐
１２：連結金具                    １３：ばね
１４：吊り下げ環
【図１】
0003112819.tif 000003
【図２】
0003112819.tif 000004
【図３】
0003112819.tif 000005
【図４】
0003112819.tif 000006
【図５】
0003112819.tif 000007
【図６】
0003112819.tif 000008
【図７】
0003112819.tif 000009